(57)【要約】【課題】従来に比して簡単な回路構成であるとともに従来に比して信頼性を向上させ、かつ、従来に比して一層容易に操作装置を探索することが可能な電子機器を提供する。【解決手段】所在不明となったリモコン装置２を探索するための探索機能をテレビ受信装置は有している。かかる探索機能はテレビ受信機本体１が備える本体操作部６・本体制御部７・探索信号発信部９と、リモコン装置２が備える受信部２９・周波数検査部３１・リモコン制御部２７・報知信号発信部３２とにより実現される。探索信号発信部９は複数周波数の電波を同時に発信できる電波発信機であり、受信部２９は複数周波数の電波を同時に受信できる電波受信機である。周波数検査部３１は受信部２９が受信した電波の周波数を検査し、その結果をリモコン制御部２７に送信する回路である。また、報知信号発信部３２は、リモコン装置２の在所を音声によって使用者に報知する回路である。【選択図】図１
2010050622.tif 000002
【特許請求の範囲】
【請求項１】
遠隔操作のための操作信号を送信する操作装置と、該操作信号を受信するとともに該操作信号に基づいて動作する電子機器本体とを備える電子機器において、
前記電子機器本体は、受信可能距離が互いに異なるとともに周波数が互いに異なる複数の探索信号を発信する探索信号発信部を備え、
前記操作装置は、前記複数の探索信号を受信する受信部と、使用者に前記操作装置の所在を知らせるための種類の異なる複数の報知信号を発信する報知信号発信部とを備え、
前記報知信号発信部は、前記受信部が受信した探索信号の周波数に対応させて前記複数種類の報知信号から選択される１種類の報知信号を発信する
ことを特徴とする電子機器。
【請求項２】
前記報知信号が、音声および光の少なくともいずれか１方であることを特徴とする請求項１に記載の電子機器。
【請求項３】
前記音声が言語として認識可能な音声であることを特徴とする請求項２に記載の電子機器。
【発明の詳細な説明】
【技術分野】
【０００１】
本発明は、遠隔操作のための操作信号を送信する操作装置と、受信した操作信号に基づいて動作する本体装置とを備える電子機器に関する。
【背景技術】
【０００２】
近年、電子機器の多くは、本体装置を遠隔操作するための操作装置を別体として備えることが主流となっている。例えば、テレビ受信装置においては、操作装置としてリモコン装置を備えるとともに、リモコン装置に設けられたボタン等の操作内容に対応して発信される遠隔操作用信号（以下、「リモコン信号」という。）により本体装置であるテレビ受信機を遠隔操作するように構成されている。
【０００３】
しかし、かかるリモコン装置は電子機器本体に対して別体であるため、置忘れや紛失により所在不明となりやすい。そこで、所在不明となったリモコン装置を探索する技術が提示されている（例えば、特許文献１、参照）。特許文献１にかかる探索方法によると、「ワイヤレスリモコン装置の所在が、該ワイヤレスリモコン装置によって制御される電子機器の近傍にある通常の状態においては、あらかじめ定められた時間間隔をあけて、前記電子機器から前記ワイヤレスリモコン装置へ探索信号が送信され、前記ワイヤレスリモコン装置が該探索信号に応じて応答信号を前記電子機器へ返送する間引き動作を行う間引き動作モードとすることが可能となるので、常時探索信号と応答信号とを送信し合う場合に比し、前記ワイヤレスリモコン装置の消費電力を大幅に低減させることができる。(〔００４１〕)」と記載されている。また、「前記ワイヤレスリモコン装置の所在が前記電子機器から離れるにつれて、前記ワイヤレスリモコン装置からの応答信号の受信電界強度が小さくなってくるが、該受信電界強度が小さくなるレベルに応じて、警報光の光度あるいは警報音の音量を大きなレベルで出力させることができるので、前記ワイヤレスリモコン装置の探索を容易に行うことが可能になる。(〔００４３〕)」とも記載されている。
【特許文献１】特開２００２−１３５８６９号公報
【発明の開示】
【発明が解決しようとする課題】
【０００４】
ところで、音の大きさあるいは光の光度と、電子機器本体およびワイヤレスリモコン装置間の距離とを対応させて予め使用者が記憶しておくことは、通常困難である。従って、ワイヤレスリモコン装置の所在が電子機器本体から離れるにつれて、警報光の光度あるいは警報音の音量を大きなレベルで出力したとしても、使用者が警報光の光度あるいは警報音の音量に対応して、電子機器本体とワイヤレスリモコン装置との距離を認識することは困難である。つまり、電子機器本体およびワイヤレスリモコン装置間の距離が大きくなった場合に、音量または光度を大きくすることによって、遠くにあるワイヤレスリモコン装置が発する警報音または警報光を使用者に認識させやすくする効果はあるが、ワイヤレスリモコン装置が電子機器本体からどれだけ離れているかまで認識させることは困難である。従って、特許文献１に提示された技術は、ワイヤレスリモコン装置の探索を容易にする効果としては不十分である。
【０００５】
また、特許文献１に提示された技術においては、まず、電子機器からワイヤレスリモコン装置へ探索信号が送信され、探索信号を受けたワイヤレスリモコン装置が応答信号を電子機器へ返送し、応答信号を受けた電子機器がワイヤレスリモコン装置に向けて警報指令を送信し、更に、警報指令を受けたワイヤレスリモコン装置が、自らの所在を示す警報光および／または警報音を発生させる。従って、上記探索信号、上記応答信号、上記警報指令の全てが正常に送受信されなければ、警報光および／または警報音は発生せず、ワイヤレスリモコン装置を探索することができない。そのため、リモコン探索の信頼性を上げることが困難である。また、リモコンが所在不明となった際に、警報光および／または警報音を発生させるための回路構成が複雑となる。
【０００６】
本発明は、こうした実情に鑑みてなされたものであり、上記従来に比して簡単な回路構成であるとともに上記従来に比して信頼性を向上させ、かつ、上記従来に比して一層容易に操作装置を探索することが可能な電子機器を提供することにある。
【課題を解決するための手段】
【０００７】
本発明にかかる電子機器は、遠隔操作のための操作信号を送信する操作装置と、該操作信号を受信するとともに該操作信号に基づいて動作する電子機器本体とを備える電子機器である。また、前記電子機器本体は、受信可能距離が互いに異なるとともに周波数が互いに異なる複数の探索信号を発信する探索信号発信部を備え、前記操作装置は、前記複数の探索信号を受信する受信部と、使用者に前記操作装置の所在を知らせるための種類の異なる複数の報知信号を発信する報知信号発信部とを備える。更に、前記報知信号発信部は、前記受信部が受信した探索信号の周波数に対応させて前記複数種類の報知信号から選択される１種類の報知信号を発信する。
【０００８】
上記構成によれば、電子機器本体は、受信可能距離が互いに異なるとともに周波数が互いに異なる複数の探索信号を発信する探索信号発信部を備え、操作装置は、上記複数の探索信号を受信する受信部を備えるため、操作装置は電子機器本体が発信した複数の探索信号のうち、電子機器本体からの距離に対応して特定される周波数の探索信号を受信することが可能である。また、操作装置の報知信号発信部は、受信部が受信した探索信号の周波数に対応させて複数種類の報知信号から選択される１種類の報知信号を発信するため、電子機器本体からの距離に対応して１種類の報知信号を発信することとなる。従って、操作装置の所在が判らなくなった場合に、電子機器本体から操作装置までの距離を使用者が認識することができるため、使用者は電子機器本体からの認識された距離のみを探索することによって、操作装置を一層容易に操作装置を探索することが可能となる。
【０００９】
また、上記構成によると、受信部が受信した探索信号の周波数に対応させて前記複数種類の報知信号から選択される１種類の報知信号を発信するため、電子機器本体が発信した探索信号を受信部が受信することのみを要件として、報知信号発信部は報知信号を発信する。従って、３つの信号を送受信する上記従来に比して一層容易に操作装置を探索することが可能である。また、送受信装置も１組ですむため、上記従来に比して回路構成も単純化される。
【００１０】
本発明にかかる電子機器は、前記報知信号が、音声および光の少なくともいずれか１方であることが好ましい。
上記構成によれば、報知信号が、音声および光の少なくともいずれか１方であるため、使用者は聴覚および視覚の少なくともいずれか１方によって報知信号を容易に認識することが可能となる。
【００１１】
本発明にかかる電子機器は、前記音声が言語として認識可能な音声であることが好ましい。
上記構成によれば、音声が、言語として認識可能な音声であるため、電子機器本体から操作装置までの距離を使用者が一層容易に認識することができる。従って、使用者は電子機器本体からの認識された距離のみを探索することによって、操作装置を容易に見つけ出すことが可能となる。言語として認識可能な音声としては、「距離２メートルです。」というように、電子機器本体から操作装置までの距離を直接伝える音声が例示できる。
【発明の効果】
【００１２】
本発明によれば、上記従来に比して簡単な回路構成であるとともに上記従来に比して信頼性を向上させ、かつ、上記従来に比して一層容易に操作装置を探索することが可能な電子機器を提供することができる。
【発明を実施するための最良の形態】
【００１３】
（第１の実施形態）
図１〜図２を参照して、本発明の電子機器をテレビ受信装置として具体化した一実施形態について説明する。なお図１は、本実施形態のテレビ受信装置の構成をブロック図として示したものである。
【００１４】
図１に示されるように、テレビ受信装置は、電子機器本体としてのテレビ受信機本体１と、同テレビ受信機本体１を遠隔操作するための操作装置としてのリモコン装置２とから構成されている。
【００１５】
テレビ受信機本体１は、テレビ放送を視聴するためのテレビ受信機であって、テレビ放送用の電波を受信するためのアンテナＡ、アンテナＡにより受信された放送信号に基づいて映像用信号および音声用信号を作成するとともに送信する信号処理部３と、送信された映像用信号を映像として出力するディスプレイ４と、送信された音声用信号を音声として出力するスピーカー５とを備えている。
【００１６】
テレビ受信機本体１は更に、使用者がテレビ受信機本体１に操作命令を与えるためのスイッチ（不図示）やボタン（不図示）からなる本体操作部６を備え、本体操作部６に与えられた操作命令は、ＣＰＵ（不図示）とメモリ（不図示）等からなる本体制御部７によって制御信号に変換され、信号処理部３に送信される。
【００１７】
また、操作命令はリモコン装置２から送信された、操作信号１２として与えられることもある。この操作信号１２は操作信号受信部８によって受信され、本体操作部６に与えられた操作命令と同様に本体制御部７によって制御信号に変換され、信号処理部３に送信される。
【００１８】
一方リモコン装置２はテレビ受信機本体１を遠隔操作するための操作装置であって、使用者がテレビ受信機本体１に操作命令を与えるためのスイッチ（不図示）やボタン（不図示）からなるリモコン操作部２６を備え、リモコン操作部２６に与えられた操作命令は、ＣＰＵ（不図示）とメモリ（不図示）等からなるリモコン制御部２７によって制御信号に変換され、操作信号発信部２８に送信される。操作信号発信部２８は制御信号に対応する操作信号１２をテレビ受信機本体１の操作信号受信部８に発信する。操作信号受信部８よって受信された操作信号１２は、上述のように本体制御部７によって制御信号に変換され、信号処理部３に送信される。
【００１９】
このようにこのテレビ受信装置は本体操作部６およびリモコン操作部２６のいずれかに操作命令を与えることにより操作することが可能な構成となっている。ここで、テレビの視聴はテレビ受信機本体１から離れた場所において通常行われるため、使用者によるテレビ受信装置の操作はリモコン装置２を用いて主に行われる。そのため、リモコン装置２の所在が不明となった場合に使用者は非常に不便を感ずる結果となる。また、上述のようにリモコン装置２はテレビ受信機本体１から離れた場所において使用されるため、テレビ受信機本体１から離れた場所に置き忘れられることにより所在不明となることが多い。
【００２０】
かかる問題に対処するべく、所在不明となったリモコン装置２を探索するための探索機能をこのテレビ受信装置は有している。かかる探索機能はテレビ受信機本体１が備える本体操作部６・本体制御部７・探索信号発信部９と、リモコン装置２が備える受信部２９・周波数検査部３１・リモコン制御部２７・報知信号発信部３２とにより実現される。上記のうち、探索信号発信部９は複数周波数の電波を同時に発信できる電波発信機であり、受信部２９は複数周波数の電波を同時に受信できる電波受信機である。周波数検査部３１は受信部２９が受信した電波の周波数を検査し、その結果をリモコン制御部２７に送信する回路である。また、報知信号発信部３２はアンプおよびスピーカーを備え、リモコン装置２の在所を音声によって使用者に報知する回路である。
【００２１】
より具体的には、以下のようにしてリモコン装置２を探索することが可能となる。リモコン装置２の探索を所望する場合に、使用者は、テレビ受信機本体１が備える本体操作部６内の探索ボタン（非図示）を押す。すると、本体操作部６に与えられた操作命令は、本体制御部７によって制御信号に変換され、探索信号発信部９に送信される。かかる制御信号を受けた探索信号発信部９は受信可能距離が互いに異なるとともに周波数が互いに異なる複数の探索信号１１を発信する。より詳しくは、探索信号発信部９は、表１に示すように、受信可能距離が２ｍであるとともに周波数が３１２．０ＭＨｚの電波である探索信号と、受信可能距離が３ｍであるとともに周波数が３１２.５ＭＨｚの電波である探索信号と、受信可能距離が４ｍであるとともに周波数が３１３．０ＭＨｚの電波である探索信号と、受信可能距離が５ｍであるとともに周波数が３１３．５ＭＨｚの電波である探索信号と、受信可能距離が６ｍであるとともに周波数が３１４．０ＭＨｚの電波である探索信号とを同時に発信する。ここで受信可能距離とは、リモコン装置２が備える受信部２９が上記各電波を受信できる距離を言う。
【００２２】
【表１】
2010050622.tif 000003
かかる、探索信号発信部９が発信した複数の探索信号１１はリモコン装置２が備える受信部２９により受信されるが、複数の探索信号１１のうち全ての探索信号が受信されるわけではない。テレビ受信機本体１とリモコン装置２との距離に応じて受信可能距離が対応する探索信号１１のみが受信される。例えば、テレビ受信機本体１とリモコン装置２との距離が４ｍから５ｍの間であったとすれば、受信可能距離が５ｍであるとともに周波数が３１３．５ＭＨｚの電波である探索信号と、受信可能距離が６ｍであるとともに周波数が３１４．０ＭＨｚの電波である探索信号とを受信部２９は受信することができる。一方、受信可能距離が２ｍであるとともに周波数が３１２．０ＭＨｚの電波である探索信号と、受信可能距離が３ｍであるとともに周波数が３１２.５ＭＨｚの電波である探索信号と、受信可能距離が４ｍであるとともに周波数が３１３．０ＭＨｚの電波である探索信号とは、受信部２９が受信することができない。受信された周波数の探索信号１１は電気信号に変換された後、周波数検査部３１に送信され周波数を検査され、リモコン制御部２７に受信された探索信号１１の周波数情報が送信される。リモコン制御部２７は受信部２９が受信した探索信号１１の周波数に対応させて複数種類の報知信号から選択される１種類の報知信号３３を発信するように報知信号発信部３２に命令する。
【００２３】
リモコン制御部２７が、受信部２９が受信した探索信号１１の周波数に対応させて複数種類の報知信号から選択される１種類の報知信号を発信するように報知信号発信部３２に命令する具体的方法を、図２に示すフローチャートに従って、以下に説明する。リモコン制御部２７に周波数検査部３１から受信周波数情報が送信されると、まず３１２．０ＭＨｚの電波が受信されたか否かを、リモコン制御部２７は判断する（ステップＳ１）。３１２．０ＭＨｚの電波が受信されていれば、受信可能距離が２ｍの信号が受信されていたということであるので、リモコン制御部２７はテレビ受信機本体１から２ｍ以内にあることがわかるため、その旨を知らせるための報知信号を発信することを報知信号発信部３２に命令する。リモコン制御部２７がテレビ受信機本体１から２ｍ以内にある旨を知らせるための報知信号は、例えばビープ音を２回発生させるものとする（ステップＳ６）。
【００２４】
一方、３１２．０ＭＨｚの電波が受信されておらなければ、３１２．５ＭＨｚの電波が受信されたか否かを、リモコン制御部２７は判断する（ステップＳ２）。３１２．５ＭＨｚの電波が受信されていれば、受信可能距離が３ｍの信号が受信されていたということであるので、リモコン制御部２７はテレビ受信機本体１から３ｍ以内にあることがわかるため、その旨を知らせるための報知信号を発信することを報知信号発信部３２に命令する。リモコン制御部２７がテレビ受信機本体１から３ｍ以内にある旨を知らせるための報知信号は例えばビープ音を３回発生させるものとする（ステップＳ７）。
【００２５】
同様にして、３１２．５ＭＨｚの電波が受信されておらず、３１３．０ＭＨｚの電波が受信されておれば（ステップＳ３；YES）、ビープ音を４回発生させることを報知信号発信部３２に命令（ステップＳ８）し、３１３．０ＭＨｚの電波が受信されておらず、３１３．５ＭＨｚの電波が受信されておれば（ステップＳ４；YES）、ビープ音を５回発生させることを報知信号発信部３２に命令（ステップＳ９）する。更に、３１３．５ＭＨｚの電波が受信されておらず、３１４．０ＭＨｚの電波が受信されておれば（ステップＳ５；YES）、ビープ音を６回発生させることを報知信号発信部３２に命令（ステップＳ１０）する。
【００２６】
ところで、３１４．０ＭＨｚの電波が受信されていない場合については、受信部２９は何れの探索信号もそもそも受信していないのであるから、探索信号１１が周波数検査部３１に送信され周波数を検査されることはなく、周波数情報がリモコン制御部２７に送信されることもない。そのため、ビープ音を発生させることをリモコン制御部２７が報知信号発信部３２に命令することもない。従って、リモコン装置２の探索を所望する使用者が、テレビ受信機本体１が備える本体操作部６内の探索ボタン（非図示）を押してもビープ音が鳴らなければ、リモコン装置２はテレビ受信機本体１から６ｍを超えた場所にあることが明らかとなる。
【００２７】
上記実施形態のテレビ受信装置によれば、以下のような効果を得ることができる。
（１）テレビ受信機本体１は、受信可能距離が互いに異なるとともに周波数が互いに異なる複数の探索信号１１を発信する探索信号発信部９を備え、リモコン装置２は、上記複数の探索信号１１を受信する受信部２９を備える。そのため、リモコン装置２はテレビ受信機本体１が発信した複数の探索信号１１のうち、テレビ受信機本体１からの距離に対応して特定される周波数の探索信号１１を受信することが可能である。また、リモコン装置２の報知信号発信部３２は、受信部２９が受信した探索信号１１の周波数に対応させて複数種類の報知信号３３から選択される１種類の報知信号を発信するため、テレビ受信機本体１からの距離に対応して１種類の報知信号を発信することとなる。従って、リモコン装置２の所在が判らなくなった場合に、テレビ受信機本体１からリモコン装置２までの距離を使用者が認識することができるため、使用者はテレビ受信機本体１からの認識された距離のみを探索することによって、リモコン装置２を一層容易に探索することが可能となる。
【００２８】
（２）上記構成によると、受信部２９が受信した探索信号１１の周波数に対応させて複数種類の報知信号３３から選択される１種類の報知信号を発信する。つまり、テレビ受信機本体１が発信した探索信号１１を受信部２９が受信することのみを要件として、報知信号発信部３２は報知信号３３を発信する。従って、３つの信号を送受信することを要件とする上記従来に比して一層容易にリモコン装置２を探索することが可能である。また、送受信装置も１組、即ち探索信号発信部９および受信部２９ですむため、上記従来に比して回路構成も単純化される。
（３）また、報知信号３３がビープ音、即ち音声であるため、使用者は聴覚によって報知信号３３を容易に認識することが可能となる。
【００２９】
（第２の実施形態）
次に、本発明を具体化したテレビ受信装置の第２の実施形態を図３にしたがって説明する。なお、第２の実施形態は、第１の実施形態の報知信号発信部３２の構造および発信させる報知信号３３の内容を変更したのみの構成であるため、同様の部分についてはその詳細な説明を省略する。
【００３０】
本実施形態において、報知信号発信部３２はアンプおよびスピーカーに加え、発光体を備え、リモコン装置２の在所を音声および発光体の発光によって使用者に報知する回路である。発光体としては通常の豆電球や発光ダイオードが例示される。
【００３１】
この場合において、報知信号３３は音声であるビープ音３３ｂおよび発光体の発する光３３ａである。図２に示すフローチャートのステップＳ６において、リモコン制御部２７がテレビ受信機本体１から２ｍ以内にある旨を知らせるための報知信号は、例えばビープ音を２回発生させるとともに、発光体を２回発光させるものとする。
【００３２】
同様に、ステップＳ７においては、リモコン制御部２７がテレビ受信機本体１から３ｍ以内にある旨を知らせるための報知信号は、例えばビープ音を３回発生させるとともに、発光体を３回発光させるものとする。
【００３３】
同様に、ステップＳ８においては、リモコン制御部２７がテレビ受信機本体１から４ｍ以内にある旨を知らせるための報知信号は、例えばビープ音を４回発生させるとともに、発光体を４回発光させるものとする。
【００３４】
同様に、ステップＳ９においては、リモコン制御部２７がテレビ受信機本体１から５ｍ以内にある旨を知らせるための報知信号は、例えばビープ音を５回発生させるとともに、発光体を５回発光させるものとする。
【００３５】
同様に、ステップＳ１０においては、リモコン制御部２７がテレビ受信機本体１から６ｍ以内にある旨を知らせるための報知信号は、例えばビープ音を６回発生させるとともに、発光体を６回発光させるものとする。
【００３６】
従って、第２の実施形態によれば、第１の実施形態に記載の効果に加えて以下の効果を得ることができる。
（１）第２の実施形態では、報知信号３３が音声であるビープ音３３ｂおよび発光体の発する光３３ａであるため、使用者は聴覚および視覚によって報知信号３３を一層容易に認識することが可能となる。
【００３７】
（第３の実施形態）
次に、本発明を具体化したテレビ受信装置の第３の実施形態を、図４を用いて説明する。なお、第３の実施形態は、第１の実施形態の報知信号発信部３２の構造を変更したのみの構成であるため、同様の部分についてはその詳細な説明を省略する。
【００３８】
図４に示すように、報知信号発信部３２はアンプおよびスピーカーに加え、言語として認識することができる音声データを記録した音声データ記録素子３４を備え、リモコン装置２の在所を音声によって使用者に報知する回路である。音声データ記録素子３４としては通常のＲＯＭ、ＲＡＭに加え、フラッシュメモリー、ハードディスク等の記録媒体が例示される。
【００３９】
この場合においては、リモコン制御部２７がテレビ受信機本体１から２ｍ以内にある旨を知らせるための報知信号は、図２のステップＳ６に代えて、例えば表１に示すように、「リモコンは２ｍ以内にあります。」と聞こえる、言語として認識できる擬似人声３３ｃが報知信号として出力されるものとする。
【００４０】
同様に、リモコン制御部２７がテレビ受信機本体１から３ｍ以内にある旨を知らせるための報知信号は、図２のステップＳ７に代えて、例えば表１に示すように、「リモコンは３ｍ以内にあります。」と聞こえる、言語として認識できる擬似人声３３ｃが報知信号３３として出力されるものとする。
【００４１】
同様に、リモコン制御部２７がテレビ受信機本体１から４ｍ以内にある旨を知らせるための報知信号は、図２のステップＳ８に代えて、例えば表１に示すように、「リモコンは４ｍ以内にあります。」と聞こえる、言語として認識できる擬似人声３３ｃが報知信号３３として出力されるものとする。
【００４２】
同様に、リモコン制御部２７がテレビ受信機本体１から５ｍ以内にある旨を知らせるための報知信号は、図２のステップＳ９に代えて、例えば表１に示すように、「リモコンは５ｍ以内にあります。」と聞こえる、言語として認識できる擬似人声３３ｃが報知信号３３として出力されるものとする。
【００４３】
同様に、リモコン制御部２７がテレビ受信機本体１から６ｍ以内にある旨を知らせるための報知信号は、図２のステップＳ１０に代えて、例えば表１に示すように、「リモコンは６ｍ以内にあります。」と聞こえる、言語として認識できる擬似人声３３ｃが報知信号３３として出力されるものとする。
【００４４】
従って、第３の実施形態によれば、第１の実施形態に記載の効果に加えて以下の効果を得ることができる。
（１）第３の実施形態では、報知信号が言語として認識される音声であるため、ビープ音によって報知される場合に比べて、使用者はより一層容易に認識することが可能となる。即ち、言語として認識されるため、リモコン制御部２７とテレビ受信機本体１との距離に対応して、ビープ音の発生回数が決められていることを知らない使用者に対しても、直接的にリモコン制御部２７とテレビ受信機本体１との距離を知らせることが可能となるためである。
【００４５】
なお、上記実施形態は以下のように変更してもよい。
・第２の実施形態においては、報知信号３３は、ビープ音３３ｂおよび光３３ａであるが、他の構成であっても良い。例えば、光のみであっても良い。要は、使用者にリモコン制御部２７とテレビ受信機本体１との距離を知らせられれば良いわけであり、音声、光以外の信号であっても良い。
【００４６】
・第１および第２の実施形態において、報知信号３３の音声として、リモコン制御部２７とテレビ受信機本体１との距離に対応した回数だけ発生させるビープ音を用いているが、他の構成であっても良い。要は、リモコン制御部２７とテレビ受信機本体１との距離を、音声から使用者が判断出来れば良いのであり、例えば、リモコン制御部２７とテレビ受信機本体１との距離に対応して、互いに異なる音色を有するビープ音でも良く、互いに異なる音楽であっても良い。
【００４７】
・上記実施形態において、探索信号発信部９は複数周波数の電波を同時に発信できる電波発信機であるが、他の構成であっても良い。例えば、複数周波数の電波を順次発信できる電波発信機であっても良い。かかる構成とすることにより、探索信号発信部９をコストダウンできる可能性がある。
【産業上の利用可能性】
【００４８】
本発明は、遠隔操作のための操作信号を送信する操作装置と、受信した操作信号に基づいて動作する本体装置とを備える電子機器に関するものであり、産業上広く利用が可能である。
【図面の簡単な説明】
【００４９】
【図１】本発明の電子機器を具体化した一実施形態について、同電子機器としてのテレビ受信装置の構成を示すブロック図。
【図２】同実施形態のテレビ受信装置によるリモコン装置の探索時の動作を示すフローチャート。
【図３】本発明の電子機器を具体化した第２の実施形態について、同電子機器としてのテレビ受信装置の構成を示すブロック図。
【図４】本発明の電子機器を具体化した第３の実施形態について、同電子機器としてのテレビ受信装置の構成を示すブロック図。
【符号の説明】
【００５０】
１…テレビ受信機本体（電子機器本体）、２…リモコン装置（操作装置）、３…信号処理部、４…ディスプレイ、５…スピーカー、６…本体操作部、７…本体制御部、８…操作信号受信部、９…探索信号発信部、１１…探索信号、１２…操作信号、２６…リモコン操作部、２７…リモコン制御部、２８…操作信号発信部、２９…受信部、３１…周波数検査部、３２…報知信号発信部、３３…報知信号、３３ａ…光、３３ｂ…ビープ音、３３ｃ…擬似人声、３４…音声データ記録素子、Ａ…アンテナ。
【図１】
2010050622.tif 000004
【図２】
2010050622.tif 000005
【図３】
2010050622.tif 000006
【図４】
2010050622.tif 000007